(57)【要約】【課題】外装端部を前面方向に可動させることで、使用時にはホールディング性が十分なグリップ部を構成し、又、この可動動作によるスイッチとして兼用することができるカメラのグリップを提供すること。【解決手段】カメラの外装端部をカメラの前面方向に回動させ、凸部を形成し、グリップ部とし、連動して外装端部上に設置されたシャッターボタンが前面に配置し、外装端部収納時にはカメラ本体の外装面と面一とすることを特徴とする。又、スライドカバーを有するカメラにおいてスライドに連動してグリップ部を形成する。更に、使用時のカメラ前面にグリップを回動した際にカメラ本体に出来たスペースにズームボタン等を配置し、撮影時に使用するボタンをグリップ収納時には、グリップがボタンを覆いバリアとなって保護するとともに撮影時と収納時におけるボタンの配置を階層的に配置することを可能とする。【選択図】図１
2006018174.tif 000002
【特許請求の範囲】
【請求項１】
カメラの外装端部をカメラの前面方向に回動させ、凸部を形成し、グリップ部とし、連動して外装端部上に設置されたシャッターボタンが前面に配置し、外装端部収納時にはカメラ本体の外装面と面一とすることを特徴とするカメラのグリップ。
【請求項２】
スライドカバーを有するカメラにおいてスライドに連動してグリップ部を形成することを特徴とする請求項１記載のカメラのグリップ。
【請求項３】
使用時のカメラ前面にグリップを回動した際にカメラ本体に出来たスペースにズームボタン等を配置し、撮影時に使用するボタンをグリップ収納時には、グリップがボタンを覆いバリアとなって保護するとともに撮影時と収納時におけるボタンの配置を階層的に配置することを可能とすることを特徴とする請求項１記載のカメラのグリップ。
【発明の詳細な説明】
【技術分野】
【０００１】
本発明は、小型化の著しいフィルム式カメラ、電子スチルカメラ、カメラ一体型ＶＴＲ等に関するものである。
【背景技術】
【０００２】
従来から、カメラにおいてホールド感の向上を目的として、前面に凸部を形成し、そこをグリップしホールディングを行っていた。近年は、フィルム式カメラ、電子スチルカメラ、カメラ一体型ＶＴＲ等において、小型化が著しく進行しており、従って、機器本体を把持するグリップ部として、ホールディングに必要十分な寸法、形状を確保することが困難になっている。
【０００３】
【特許文献１】特開平１０−１５５１００号公報
【発明の開示】
【発明が解決しようとする課題】
【０００４】
上述したように、従来の小型化が進んだカメラにおいては、ホールドに必要な寸法、形状を確保することが困難であり、ホールディング性かコンパクト性のどちらかを犠牲にしなければならないという問題があった。
【０００５】
本発明は上記問題を解決するためになされたもので、外装端部を前面方向に可動させることで、使用時にはホールディング性が十分なグリップ部を構成し、又、この可動動作によるスイッチとして兼用することができるカメラのグリップを提供することを目的とする。
【課題を解決するための手段】
【０００６】
上記の目的を達成するため、本発明のカメラのグリップは、カメラの外装の端部を上面から下面へ向けて形成された可動中心軸により、支持され、撮影状態では、外装端部を前部方向に回転させると同時に端部上端に配置されたシャッターボタンを操作に適した配置へと導き、収納時には、前面に凸部が無くなりフルフラットとなりコンパクトに収納可能となるものである。
【０００７】
これにより、撮影時には凸部をグリップすることによる把持に必要な大きさを、形状を確保するとともに、収納時には、前面に凸部が無いように外装が形成できコンパクトに収納可能となり、使用時のホールディング性と収納時のコンパクト性の両立を図ることができる。
【発明の効果】
【０００８】
本発明に係るカメラのグリップは、上述したような構成としているので、使用時にはグリップは、撮影状態では、外装端部を前部方向に回転させると同時に端部上端に配置されたシャッターボタンを操作に適した配置へと導き、収納時には、前面に凸部が無くなり、フルフラットとなり、コンパクトに収納可能としてなるものである。
【０００９】
これにより、撮影時には凸部をグリップすることによる把持に必要な大きさを、形状を確保するとともに、収納時には、前面に凸部が無いように外装が形成できコンパクトに収納可能となり、使用時のホールディング性と収納時のコンパクト性の両立を図ることができる。
【発明を実施するための最良の形態】
【００１０】
以下に本発明の実施の形態を添付図面に基づいて説明する。
【００１１】
図１及び図２は本発明の実施の形態１の説明図で、図１は収納状態を示す図であり、図２は撮影可能状態を示す図である。図３及び図４は本発明の実施の形態２の説明図であり、図３は収納状態を示す図であり、図４は撮影可能状態を示す図である。図５は本発明の実施の形態３を示す図である。
【００１２】
＜実施の形態１＞
図１及び図２において、１はカメラ本体で、レンズ２、シャッターボタン３を有している。５はグリップで、回転軸４で可動可能にカメラ本体１に支持されている。シャッターボタン３はグリップ５上に配置されている。
【００１３】
図１では、グリップ５がカメラ本体１に収納されて、図２では、突出した位置となっており、この状態で不図示のスイッチが入力され、不図示のマイコンにより、レリーズ動作が行われるように構成されている。
【００１４】
以上ような構成で動作手順を以下に示す。
【００１５】
図１の収納状態では、グリップ５は外装に沿った状態であり、前部に凸部が無くカメラのコンパクトな形態となり良好な携帯性を有する。図１の状態から、撮影者がグリップ５を回動させると、本体１に対して、グリップ５が突出し、図２に不図示のクリックに落ちて、同じく不図示のストッパにより停止させられる。
【００１６】
この状態では、グリップ５はカメラのホールド位置に、不図示のスイッチが入って撮影可能状態になり、レンズ２は撮影待機状態になる。その状態で、カメラをホールドすると、図２に示すように、グリップ５のつなぎ部５ａ，５ｂによって作られるコーナー部が手のひらに接触して、しっかりとした受けとなり、カメラをしっかり構えることができ、手振れが少なく、又、長期に亘って構えても疲労感の少ないカメラが提供できる。
【００１７】
又、図２に示すように、シャッターボタン３を本体よりも突出させて位置に配置することにより爪の長い女性が使用するに当たっても、爪が直接ボタンに当たらず、良好なレリーズ感を得られる。
【００１８】
＜実施の形態２＞
又、本発明のカメラの可動グリップの実施の形態２を、例えばスライド式のレンズバリヤを備えたカメラに用いた場合について、図３及び図４に基づいて以下を説明する。
【００１９】
図３及び図４において、１はカメラ本体で、レンズ２、シャッターボタン３を有している。５はグリップで、回転軸４で可動可能にスライドカバー６に支持されている。スライドカバー６は、カメラ本体１にスライド可能であるように支持されている。又、スライドカバー６は、収納状態においてレンズ１や不図示のファインダー窓等を覆うように配設されている。シャッターボタン３はグリップ５上に配置されている。
【００２０】
図３では、非使用時を示しており、スライドカバー６がレンズ２を覆い、又、グリップ５はスライドカバー６、カメラ本体１の外装に沿った形態を取っている。図４では、スライドカバー６がスライドしレンズ２を露呈し、グリップ５が突出した位置となっており、この状態で、不図示のスイッチが入力され、不図示のマイコンにより、レリーズ動作が行われるように構成されている。
【００２１】
以上ような構成で動作手順を以下に示す。
【００２２】
図３の収納状態では、グリップ５は外装に沿った状態であり、前部に凸部が無くカメラのコンパクトな形態となり良好な携帯性を有する。図３の状態から、撮影者がガイド溝８に支持されたスライドカバー６をスライドしグリップ５を回動させると、本体１に対して、グリップ５が突出し、図２に不図示のクリックに落ちて、同じく不図示のストッパにより停止させられる。又、スライドカバー６のスライド動作と連動してグリップ５を回動させ前部に凸部を構成することも可能である。
【００２３】
この状態では、グリップ５はカメラのホールド位置に、不図示のスイッチが入って撮影可能状態になり、レンズ２は撮影待機状態になる。その状態で、カメラをホールドすると、図４に示すように、グリップ５のつなぎ部５ａ，５ｂによって作られるコーナー部が手のひらに接触して、しっかりとした受けとなり、カメラをしっかり構えることができ、手振れが少なく、又、長期に亘って構えても疲労感の少ないカメラが提供できる。
【００２４】
又、図４に示すように、シャッターボタン３を本体よりも突出させて位置に配置することにより爪の長い女性が使用するに当たっても、爪が直接ボタンに当たらず、良好なレリーズ感を得られる。
【００２５】
＜実施の形態３＞
次に、本発明の実施の形態３について説明する。
【００２６】
図５はグリップ５が収納状態を示した図で、図６はグリップ５が撮影状態を示した図である。図７は撮影可能状態までの操作手順を示すフローチャートである。
【００２７】
グリップ５上にシャッターボタン３が配設されており、この収納状態ではグリップ５の下でカメラ本体１上にズームボタン７が配置され、シャッターボタン３、グリップ５、ズームボタン７が階層的に配設されている。
【００２８】
以上ような構成で動作手順を以下に示す。
【００２９】
撮影状態では、グリップ５が回転軸４を回転中心として回動する際には、シャッターボタン３は、カメラ本体１の前面方向に突出した位置に配設される。この状態で、収納状態ではグリップ５の下に覆われていたズームボタン７が露呈し、ボタンを押せる状態となる。このように階層的に配設することにより撮影時にしか使用しないズームボタン７等を操作性を失うことなく効率的に配置することができる。
【図面の簡単な説明】
【００３０】
【図１】本発明の実施の形態１におけるグリップ収納状態を示す図である。
【図２】本発明の実施の形態１における撮影可能状態でのグリップ位置を示す図である。
【図３】本発明の実施の形態２におけるバリア閉でのグリップ状態を示す図である。
【図４】本発明の実施の形態２におけるバリア開で撮影可能状態でのグリップ位置を示す図である。
【図５】本発明の実施の形態３におけるグリップ収納状態を示す図である。
【図６】本発明の実施の形態３における撮影可能状態でのグリップ位置を示す図である。
【図７】撮影可能状態までの操作手順を示すフローチャートである。
【符号の説明】
【００３１】
１  カメラ本体
２  レンズ
３  シャッターボタン
４  回転軸
５  グリップ
６  スライドカバー
７  ズームボタン
８  ガイド溝
【図１】
2006018174.tif 000003
【図２】
2006018174.tif 000004
【図３】
2006018174.tif 000005
【図４】
2006018174.tif 000006
【図５】
2006018174.tif 000007
【図６】
2006018174.tif 000008
【図７】
2006018174.tif 000009